(57)【要約】【課題】締結用の柱部材を必要とすることなく、少ない奥行きスペースで組み付けることのできるパネル部材の接続構造を提供すること。【解決手段】弾性を有する係合片２２を備えた係合凹部２３を有するとともにパネル部材２４の端部に取付けられる雌部材２０と、隣接するパネル部材の端部にそれぞれ配設された前記雌部材の係合凹部に挿入される一対の係合突片を備えた雄部材２７とから構成され、前記雄部材２７の一部を前記雌部材を介してパネル部材の左右何れか一方に固定し、前記パネル部材２４は、表裏面に鋼板を有するとともに、中空部に発泡材が充填され、前記雌部材は、前記パネル部材の厚さ範囲内に取付けられたことをので、締結用の柱部材を必要とすることなく、少ない奥行きスペースで組み付けることができる。【選択図】　図８
2004036143.tif 000002
【特許請求の範囲】
【請求項１】
弾性を有する係合片を備えた係合凹部を有するとともにパネル部材の端部に取付けられる雌部材と、
隣接するパネル部材の端部にそれぞれ配設された前記雌部材の係合凹部に挿入される一対の係合突片を備えた雄部材とから構成され、
前記雄部材の一部を前記雌部材を介してパネル部材の左右何れか一方に固定し、前記パネル部材は、表裏面に鋼板を有するとともに、中空部に発泡材が充填され、前記雌部材は、前記パネル部材の厚さ範囲内に取付けられたことを特徴とするパネル部材の接続構造。
【請求項２】
前記雄部材は、パネル部材に固定するための基板を有すると共に、該基板は前記パネル部材が形成する室外側にネジ止めされることを特徴とする請求項１に記載のパネル部材の接続構造。
【請求項３】
前記雄部材に設けられた一対の係合突片は、平行配置されたことを特徴とする請求項１または２に記載のパネル部材の接続構造。
【請求項４】
前記雄部材の係合突片間には、可撓性を有するシール部材が配設されたことを特徴とする請求項３に記載のパネル部材の接続構造。
【請求項５】
前記雄部材に設けられた一対の係合突片は、直交配置されると共に、直交配置されたパネル部材を接続することを特徴とする請求項１または２に記載のパネル部材の接続構造。
【請求項６】
前記雄部材は、直交して接続されたパネル部材の隅部を内側からシールするシール部材を保持する凹部を備えたことを特徴とする請求項５に記載のパネル部材の接続構造。
【請求項７】
前記係合片は、Ｊ字状に折曲され可撓性を有するアンカー部を備え、該アンカー部に前記雄部材の係合突片が当接してパネル部材を接続することを特徴とする請求項１〜６の何れか１に記載のパネル部材の接続構造。
【発明の詳細な説明】
【０００１】
【発明の属する技術分野】
本発明は、ユニットバスや間仕切り等の壁面に使用されるパネル部材を接続するパネル部材の接続構造に関するものである。
【０００２】
【従来の技術】
従来よりユニットバスの壁面パネルや間仕切り用パネルを接続するための機構が種々提案されている。例えば、図１１は、従来のパネル部材接続構造の一例を示す平面図である。ここで、パネル部材の接続構造は、水返し面１に引っ掛け片２をビス３で固定し、一部の切り欠かれた断面コ字状の柱部材４がそれぞれの端部に固着された側壁パネル５を前記引っ掛け片２に係合することにより取付けている。
【０００３】
また、別の従来例として、図１２に示すように躯体壁６に断面コ字状の支柱８をビス７で固定し、この支柱８の開口部に沿ってパネルジョイナー９を配設し、このパネルジョイナー９の凹部にパネル部材１０の端部に延設されたＪ字形またはＳ字形のバネ部材１１を嵌合することにより、パネル部材１０を接続している。また、パネルジョイナー９の凹部には、軟質部１２が配設されており、嵌合されるバネ部材１１と当接して水密性を確保している。
【０００４】
【発明が解決しようとする課題】
しかし、上記した構成の従来のパネル部材の接続構造では、図１１に示すものにあっては、柱部材４が必要であり水返し面１と側壁パネル５との間に奥行きスペースが必要であった。また、図１２に示すものにあっても、金属のロールフォーミング材である支柱８をあらかじめ床パンにビスで固定し、立てておかなければならなかった。また、水をシールするために軟質部１２を２色成形によりパネルジョイナー９に取付けているが、これは側壁パネル５同士を接続させる為に介在する支柱がどちらも金属から成っており、嵌合作業により多くの力を要し、支柱８は側壁パネル５以外の例えば、床パン等に固定する必要があるからである。また、コーナー部についてもコーナーポールと呼ばれる支柱が必要である。更に、躯体壁６とパネル部材１０との間に多くのスペースが必要であった。
しかし、最近のユニットバスは、室内面積を限られたスペース内でより大きく設定する傾向があり、以上の構成では充分なスペースを確保できなかった。
【０００５】
本発明は、上記実情に鑑み提案されたもので、限られたスペースの中でより大きな室内面積を確保することのできるパネル部材の接続構造を提供することを目的とする。
【０００６】
【課題を解決するための手段】
上記目的を達成するために、請求項１に記載の発明は、弾性を有する係合片を備えた係合凹部を有するとともにパネル部材の端部に取付けられる雌部材と、隣接するパネル部材の端部にそれぞれ配設された前記雌部材の係合凹部に挿入される一対の係合突片を備えた雄部材とから構成され、前記雄部材の一部を前記雌部材を介してパネル部材の左右何れか一方に固定し、前記パネル部材は、表裏面に鋼板を有するとともに、中空部に発泡材が充填され、前記雌部材は、前記パネル部材の厚さ範囲内に取付けられたことを特徴としている。
【０００７】
また、請求項２に記載の発明において、前記雄部材は、パネル部材に固定するための基板を有すると共に、該基板は前記パネル部材が形成する室外側にネジ止めされることを特徴とするものである。
【０００８】
また、請求項３に記載の発明において、前記雄部材に設けられた一対の係合突片は、平行配置されたことを特徴とするものである。
【０００９】
また、請求項４に記載の発明において、前記雄部材の係合突片間には、可撓性を有するシール部材が配設されたことを特徴とするものである。
【００１０】
また、請求項５に記載の発明において、前記雄部材に設けられた一対の係合突片は、直交配置されると共に、直交配置されたパネル部材を接続することを特徴とするものである。
【００１１】
また、請求項６に記載の発明において、前記雄部材は、直交して接続されたパネル部材の隅部を内側からシールするシール部材を保持する凹部を備えたことを特徴とするものである。
【００１２】
また、請求項７に記載の発明において、前記係合片は、Ｊ字状に折曲され可撓性を有するアンカー部を備え、該アンカー部に前記雄部材の係合突片が当接してパネル部材を接続することを特徴とするものである。
【００１３】
【発明の実施の形態】
以下、一実施の形態を示す図面に基づいて本発明を詳細に説明する。ここで、図１は、本発明に係る雌部材を示す平面図、図２は、その雌部材の右側面図である。ここで、雌部材２０は、複数の空洞２０ａを有する角柱部２１と、弾性を有する係合片２２を備えた係合凹部２３を有している。また、角柱部２１の側壁には、浅い溝２１ａが長手方向に沿って形成されており、あとからビスをねじ込む際のガイドとなる。しかし、必ずしも浅い溝２１ａを設ける必要はない。係合片２２は、Ｊ字状に折曲されており、折れ曲がったアンカー部２２ｂを備え、その先端部に段部２２ａを有している。雌部材２０は、合成樹脂等を押出成形により長尺に形成し、用途に応じて適宜の長さに切断する。このように構成された雌部材２０は、パネル部材２４の左右の両端部で且つパネル部材２４の厚さの範囲内に取付けられる（図７、８参照）。
【００１４】
パネル部材２４は、表裏面に鋼板２５を有するとともに、中空部に発泡材２６が充填されてサンイッチ状に構成されており、断面二次モーメントの増大を図っている。また、中空部には、発泡材２６の代わりにプラスターボード、石綿、グラスウール等の材料を充填してもよい。
【００１５】
図３は、本発明の雄部材の第１の実施の形態を示す平面図、図４は、本発明の雄部材の側面図である。ここで、雄部材２７は、前記雌部材２０の係合凹部２３に挿入される一対の係合突片２８，２８を有している。係合突片２８，２８は、平行配置されると共に、対向側に突部２８ａをそれぞれ備えている。また、係合突片２８、２８間には、可撓性を有する軟質のシール部材２９が配設されている。シール部材２９は、略Ｙ字状に分岐しており、係合突片２８を雌部材２０の係合凹部２３に挿入した際、係合片２２の先端２２ｃと当接して水密性を保持することができる。
【００１６】
また、雄部材２７は、パネル部材２４に固定するための基板３０を有している。雄部材２７は、２色成形法によりシール部材を構成する材料と本体を構成する異種材料を押出成形により長尺にかつ一体的に形成し、用途に応じて適宜の長さに切断して使用する。
【００１７】
次に、以上のように構成されたパネル部材の接続構造の使用方法について説明する。先ず、図７，８に示すように両端部に雌部材２０の取付けられたパネル部材２４の左右の何れか一方に雄部材２７の基板３０をビス３１でパネル部材２４が形成する室外側から角柱部２１に向かってねじ込み固着する。この際、雄部材２７をパネル部材２４の左右の何れに取り付けるかによって、パネル部材２４を右廻りに組立て行くか、左廻りに組立て行くか決めることができる。これは、組立現場の状況にあわせて、適宜選択することができる。また、基板３０は、雌部材２０の係合凹部２３に雄部材２７の係合突片２８が係合する位置で取付ける。したがって、係合突片２８の突部２８ａとアンカー部２２ｂの段部２２ａが係合すると共に、係合片２２の折れ曲がった頂部２２ｃがシール部材２９と当接して水密シールが行われる。また、ビス３１は、雌部材２０の角柱部２１までねじ込むので、取付け剛性を高めることができる。
【００１８】
また、隣接したパネル部材２４を取付ける場合、予め取付けた雄部材２７のもう一方の係合突片２８をパネル部材２４の雌部材２０の係合凹部２３に係合する。この作業は、室内側からパネル部材２４を押し付けるようにすれば完了する。このようにして、もう一方の係合突片２８をパネル部材の雌部材２０の係合凹部２３に係合すると、同様にシール部材２９によって係合片２２の折れ曲がった頂部２２ｃが水密シールされ、パネル部材の組立が完了する。このように、接続させるパネル部材２４を立て掛けるように起こせば、組み付けることができる。
【００１９】
図５は、本発明の雄部材の第２の実施の形態を示す平面図、図６は、その雄部材の側面図である。本実施の形態において、雄部材３２は、直交配置されたパネル部材２４を接続するためのもので、複数の空洞３２ａを有する角柱部３４と、一対の係合突片３３が直交配置されており、パネル部材２４に固定するための基板３５を有している。また、雄部材３２は、直交して接続されたパネル部材２４の隅部を内側からシールするシール部材３６を保持する凹部３７が係合突片３３に対して４５度の方向に形成されている。つまり、凹部３７は、係合突片３３，３３の間の角柱部３４に形成されている。更に、係合突片３３は、対向側に突部３３ａをそれぞれ備えている。
【００２０】
次に、以上のように構成されたパネル部材の接続構造の使用方法について説明する。先ず、図７，９に示すように浴室のコーナーを形成するパネル部材２４の一方に外側から雄部材３２をビス３１によって固着しておく。ビス３１は、基板３５に適宜間隔で穿孔し螺合する。雄部材３２は、第１の実施の形態と同様に、パネル部材２４の端部に内蔵された雌部材２０の角柱部２１まで螺合させる。この際、雄部材３２の係合突片３３の一方が、雌部材２０の係合凹部２３に係合させることで、自動的に雄部材３２の位置決めがなされる。このようにして固着された雄部材３２の余った係合突片３３にコーナーを構成するパネル部材２４の端部に内蔵された雌部材２０の係合凹部２３を押し込んで取付ける。パネル部材２４は、浴室の内側から壁面方向に押し付けるのみで、極めて容易に組み付けることができる。また、直角状に組み付けられたパネル部材２４のコーナー部にシール部材３６を嵌合する。シール部材３６は、図１０に示すように複数の舌片３６ａと、シール片３６ｂを有しており、舌片３６ａを雄部材３２の凹部３７に嵌合することにより、取付けることができる。
【００２１】
また、雄部材３２は、パネル部材２４の一方に内蔵された雌部材２０の角柱部２１にビス３１で固着されているので、取付け剛性を高めることができる。更に、パネル部材２４を浴室の内側から壁面方向に押し付けるのみで組み付けられるので、小さな力で組み付け作業ができる。また、シール部材３６によって組み付けたパネル部材２４のコーナー部を水密シールすることができる。更に、柱部材を別体として必要としないので、奥行きスペースを最小限とし、少ないスペースにおいて浴室内の面積を拡張することができる。
【００２２】
なお、以上の説明は浴室の壁パネルの接続に使用する場合について述べたが、これに限る事なく大型パネルの接続に使用することができる。また、エレベータの内壁等の接続にも使用することができる。
【００２３】
【発明の効果】
この発明は上記した構成からなるので、以下に説明するような効果を奏することができる。
【００２４】
請求項１に記載の発明では、弾性を有する係合片を備えた係合凹部を有するとともにパネル部材の端部に取付けられる雌部材と、隣接するパネル部材の端部にそれぞれ配設された前記雌部材の係合凹部に挿入される一対の係合突片を備えた雄部材とから構成され、前記雄部材の一部を前記雌部材を介してパネル部材の左右何れか一方に固定し、前記パネル部材は、表裏面に鋼板を有するとともに、中空部に発泡材が充填され、前記雌部材は、前記パネル部材の厚さ範囲内に取付けられたことを特徴とするものである。
【００２５】
このような構成としたことによって、パネル部材の接続に別途柱部材を必要とすることがない。また、奥行きスペースを最小限にすることができる。更に、パネル部材の組み付けに際して、内側から押し付けるのみで接続できるので、少ない労力で作業をすることができる。
【００２６】
また、請求項２に記載の発明において、前記雄部材は、パネル部材に固定するための基板を有すると共に、該基板は前記パネル部材が形成する室外側にネジ止めされるので、接続部の取付け剛性を高めることができる。また、パネル部材の接続に柱部材を必要としない。
【００２７】
また、請求項３に記載の発明において、前記雄部材に設けられた一対の係合突片は、平行配置されたので、パネル部材を直線的に接続することができる。
【００２８】
また、請求項４に記載の発明において、前記雄部材の係合突片間には、可撓性を有するシール部材が配設されたので、パネル部材の接続部の水密性を高めることができる。
【００２９】
また、請求項５に記載の発明において、前記雄部材に設けられた一対の係合突片は、直交配置されると共に、直交配置されたパネル部材を接続するので、パネル部材で浴室等のコーナー部等を形成することができる。
【００３０】
また、請求項６に記載の発明において、前記雄部材は、直交して接続されたパネル部材の隅部を内側からシールするシール部材を保持する凹部を備えたので、直交したパネル部材の水密性を向上することができる。
【００３１】
また、請求項７に記載の発明において、前記係合片は、Ｊ字状に折曲され可撓性を有するアンカー部を備え、該アンカー部に前記雄部材の係合突片が当接してパネル部材を接続するので、内側から押すだけの小さな力で接続することができる。
【図面の簡単な説明】
【図１】図１は、本発明に係る雌部材を示す平面図である。
【図２】図２は、同雌部材の側面図である。
【図３】図３は、本発明の雄部材の第１の実施の形態を示す平面図である。
【図４】図４は、同雄部材の側面図である。
【図５】図５は、本発明の雄部材の第２の実施の形態を示す平面図である。
【図６】図６は、同雄部材の側面図である。
【図７】図７は、本発明のパネル部材の接続構造の一例を示す斜視図である。
【図８】図８は、パネル部材を直線的に接続する例を示す要部斜視図である。
【図９】図９は、パネル部材を直角に接続する例を示す要部斜視図である。
【図１０】図１０は、パネル部材を直角に接続する例を示す平面図である。
【図１１】図１１は、従来のパネル部材接続構造の一例を示す平面図である。
【図１２】図１２は、従来のパネル部材接続構造の他の例を示す断面図である。
【符号の説明】
２０　　　　雌部材
２０ａ　　　空洞
２１　　　　角柱部
２２　　　　係合片
２２ａ　　　段部
２２ｂ　　　アンカー部
２３　　　　係合凹部
２４　　　　パネル部材
２５　　　　鋼板
２６　　　　発泡材
２７　　　　雄部材
２８　　　　係合突片
２９　　　　シール部材
３０　　　　基板
３１　　　　ビス
３２　　　　雄部材
３３　　　　係合突片
３４　　　　角柱部
３５　　　　基板
３６　　　　シール部材
【図１】
2004036143.tif 000003
【図２】
2004036143.tif 000004
【図３】
2004036143.tif 000005
【図４】
2004036143.tif 000006
【図５】
2004036143.tif 000007
【図６】
2004036143.tif 000008
【図７】
2004036143.tif 000009
【図８】
2004036143.tif 000010
【図９】
2004036143.tif 000011
【図１０】
2004036143.tif 000012
【図１１】
2004036143.tif 000013
【図１２】
2004036143.tif 000014